(57)【要約】【課題】  メガネ部品、箸置き、かんざし等の小物部品の表面に凸状の立体模様を成形する方法の提供。【解決手段】  小物部品であるツル２の表面には樹脂シート９を貼り付けて樹脂層１２を形成し、該樹脂シート９の一部を切削などで削除して図形や模様を形成した溝穴１４ａ，１４ｂ・・・を設け、該溝穴１４ａ，１４ｂ・・・は貼り付けた樹脂シート９を貫通してツル本体表面に達す深さとし、また金型の押圧面にも同じような図形や模様の溝穴を設け、上記金型を加熱してツルの上面を押圧することで樹脂が軟化して上記樹脂シートの溝穴１４ａ，１４ｂ・・・を流れてシート表面に突出する。【選択図】    図４
2019164254.tif 000002
【特許請求の範囲】
【請求項１】
メガネ部品、箸置き、かんざし等の樹脂製小物部品の表面に凸状を成して形成される立体模様において、小物部品の表面を押圧面に凹溝を形成した金型にて押圧することで、一部が盛り上がって形成したことを特徴とする小物部品の表面に形成される立体模様。
【請求項２】
表面に他の樹脂層を貼り合わせると共に下層に届く穴を形成した上記小物部品とし、表面樹脂層に設けた穴から下層の樹脂を突出して凸状の立体模様とした請求項１記載小物部品の表面に形成される立体模様。
【請求項３】
上記小物部品の表面に所定の形状に成形した樹脂部品を配置し、該小物部品に成形した上記樹脂部品が嵌る穴を設けたシートを貼り付け、シートから突出した凸状の立体模様を設けた請求項１記載の小物部品の表面に形成される立体模様。
【請求項４】
上記樹脂部品に代わって金属部品を配置した請求項3記載の小物部品の表面に形成される立体模様。
【請求項５】
上記小物部品の表面に色彩の異なる凸状立体模様を形成した請求項２、請求項３、又は請求項４記載の小物部品の表面に形成される立体模様。
【請求項６】
メガネ部品、箸置き、かんざし等の樹脂製小物部品の表面から突出する凸状の立体模様を成形する方法において、上記小物部品を加熱して位置決めし、該小物部品の表面を金型にて押圧し、金型の押圧面に形成した凹溝に押圧することではみ出す樹脂を流し込んで凸状の立体模様を成形する方法。
【請求項７】
メガネ部品、箸置き、かんざし等の樹脂製小物部品の表面に突出する凸状立体模様を成形する方法において、小物部品の表面には樹脂製の生地（樹脂シート）を貼り付けて樹脂層を形成し、該生地の一部を切削などで削除して図形や模様を形成した溝穴を設け、該溝穴は貼り付けた上記樹脂製生地を貫通して小物部品本体表面に達す深さとし、また金型の押圧面にも同じような図形や模様の溝穴を設け、上記金型にて加熱した小物部品の表面を押圧することで樹脂が軟化し、上記生地の溝穴を流れて上面に突出することを特徴とする小物部品の表面に凸状の立体模様を成形する方法。
【請求項８】
上記小物部品の表面に異なる色彩の複数生地（樹脂シート）を貼り合せた請求項７記載の小物部品の表面に凸状の立体模様を成形する方法。
【請求項９】
メガネ部品、箸置き、かんざし等の樹脂製小物部品の表面に突出する凸状立体模様を成形する方法において、上記小物部品の表面に樹脂生地を貼り付け、該小物部品を加熱すると共に貼り付けた樹脂生地を金型で押圧し、金型の押圧面には図形や模様などを形成した凹溝が設けられることで上記樹脂生地の一部は凹溝に流れて凸状の立体模様となり、他の一部は潰されて凸状立体模様の周囲に薄い膜を形成し、そして、上記立体模様と同じ形状の穴を有すシートを小物部品の表面に貼付けて穴から上記立体模様を突出し、薄い膜はシートにて被覆したことを特徴とする凸状の立体模様を成形する方法。
【請求項１０】
上記小物部品の表面に色彩を異にする複数枚の樹脂生地を貼り付けた請求項９記載の凸状の立体模様を成形する方法。
【請求項１１】
上記樹脂生地に代わって、底にツバを形成した金属部品を小物部品の表面に配置した請求項９、又は請求項１０記載の凸状の立体模様を成形する方法。
【発明の詳細な説明】
【技術分野】
【０００１】
本発明は樹脂製のメガネ部品、箸、及び箸置きなどの小物部品の表面に形成される凸状の立体模様、及びその製造方法に関するものである。
【背景技術】
【０００２】
メガネは視力が低下した人がこれを矯正の為に着用するものであるが、掛ける箇所が顔であることから、色々な装飾が施されている。近年の金属製メガネフレームはチタン材など非常に軽くてバネ製に優れた材質が好まれ、長時間にわたってメガネを掛けていても疲れが少ないように工夫されている。しかし、このような材質が好まれる背景には、メガネフレームとしての単なる機能性だけでなくスリムなメガネフレームとして構成出来るといった外観的な満足度が得られる点も大きい。
【０００３】
このようにメガネフレーム自体がファッション性を備えて構成されることは勿論であるが、さらにカラーメッキや塗装したり、また、印刷を施したり、宝石等の装飾部品を取付ける等の色々な工夫が凝らされている。
図９はツル（イ）の断面を表したもので、外表面（ロ）には立体模様が形成されていて、凹部（ハ）、（ハ）を有している。該凹部（ハ）、（ハ）を加工する手段は色々あり、加熱した樹脂製ツルを金型にて圧縮成形してもよく、又は工具を用いて切削することも可能である。
【０００４】
しかし、外表面（ロ）に形成される立体模様としては、同図のような凹部（ハ）でなく、一般的に凸状の立体模様の方が装飾性に優れている。
例えば、実用新案登録第３０９９２１２号に係る「テンプル（ツル）」は、模様などが描かれたシールを用いて装飾を施したものであり、テンプルに複雑で立体的な模様で装飾することが出来るとされている。
すなわち、メガネフレームのテンプル(ツル)に、デザインされたシールを貼着することにより、複雑な模様や立体的な模様の装飾を簡単に施すことが出来、そしてシールの上に透明又は半透明のカバーを設けることにより耐久性を得ることが出来る。
【０００５】
しかし、薄いシール面に凹凸模様形状を作ることは容易でなく、しかも上記実用新案登録第３０９９２１２号公報には具体的な工法は記載されていない。該シールの表面に凹凸を設け、該凹凸が同時に模様を形成している。したがって、該凹凸模様を有すシールをテンプルの凹部底に貼着することで立体的な模様が構成され、装飾効果が向上するとしているが、薄いシール面に立体模様と認識できる凸部を作ることは出来ない。
【０００６】
実用新案登録第３１１１８８０号に係る「メガネフレームの装飾形態」は、立体的な装飾体をより簡単に製作することが出来ると共に、その装飾効果がより優れたメガネフレームの装飾形態である。
ツルなどの部品表面に凹部を設け、凹部底に装飾体を貼着すると共に該凹部には透明又は半透明の樹脂を充填して上記装飾体上部をコートした構造とし、装飾体は所定形状の模様や図形を印刷したプラスチックシートの上面に所定形状の装飾片を固着している。      
【０００７】
実開平５−３３１２２号に係る「メガネフレームの装飾体」は、レーザービームを投射することでメガネフレームに形成される装飾体であり、立体感（深み）が漂うようにしている。
すなわち、メガネフレームに透明層を設け、該透明層内には不透明層を形成し、透明層の表面から投射したレーザービームが不透明層の表面を変色させ、この変色により模様又は図形を形成することが出来る。
【０００８】
特開２００８−３０２６８４号に係る「装飾樹脂板の製造方法」は、メガネのセル枠や、アクセサリー類に使用されるアセテート樹脂板の表面に立体的な模様を安価に簡単に設けることが出来るもので、アセテート樹脂板表面上に凹凸装飾模様が一体的に形成される。
【０００９】
【特許文献１】実用新案登録第３０９９２１２号に係る「テンプル」
【特許文献２】実用新案登録第３１１１８８０号に係る「メガネフレームの装飾形態」
【特許文献３】実開平５−３３１２２号に係る「メガネフレームの装飾体」
【特許文献４】特開２００８−３０２６８４号に係る「装飾樹脂板の製造方法」
【発明の開示】
【発明が解決しようとする課題】
【００１０】
このように、表面を凹凸化して立体的に形成した装飾模様は色々知られている。しかし、従来の立体装飾模様は表面にシールなどの別部材を固定して形成した形態としている。その為に形成される立体装飾模様は部品本体との間に一体感がなく、あくまでも表面に装飾模様が付加されている外観を呈している。また、薄いシールに形成されるために模様としての立体観は乏しい。
本発明が解決しようとする課題はこの問題点であり、凸部にて形成されて部品本体と一体化することで装飾性に優れた立体装飾模様であり、及びその製造方法を提供する。
【課題を解決するための手段】
【００１１】
本発明に係る立体装飾模様はメガネ部品などの小物部品の表面に一体化した凸状を成して形成される模様であり、部品表面を基準として凹部をもって形成される立体装飾模様ではない。
ところで、部品表面に凸状を成して形成される立体模様の成形方法としては、
（１）加熱した樹脂部品の表面を、押圧面に凹溝を有す金型で押圧（プレス）するならば、樹脂部品の表面が金型の凹溝に流れて凸状の立体模様が成形される。
（２）小物部品の表面に樹脂製生地（樹脂シート）を貼り合わせて別の樹脂層を形成する。ここで、貼り合せる樹脂シート（樹脂層）は一層に限るものではないが、下層の樹脂層が表面化するように貼り合せた樹脂層を削除して任意の図形や模様となる溝穴を形成する。この場合、貼り合せる樹脂製生地（樹脂シート）は異なる色彩とすることもある。
【００１２】
そして、金型の押圧面にも上記の図形や模様と同じ溝穴が形成され、この金型を加熱した小物部品の表面に押圧（プレス）する。したがって、小物部品は軟化して流動することで、削除して形成された溝穴から突出して凸状部となる。この凸状部は小物部品の表面より突出して凸状の立体模様となる。
ここで、加熱される小物部品の温度は限定しないが、成形温度は樹脂の種類や成形される立体模様の形態に左右される。
【００１３】
上記溝穴から突出した凸状部は貼り合せた表面の樹脂層ではなく下側の樹脂層であり、その為に表面樹脂層の上面に凸状の立体模様が成形される。
成形される立体模様は小物部品と一体化し、小物部品表面との間に隙間は存在しない。
ここで、小物部品の表面に貼り合せる樹脂層を、色彩を違わせた複数枚とし、各々の樹脂層に達する溝穴を設けることもある。この場合には、色彩の異なる各々の樹脂層から軟化した樹脂が溝穴を流れて突出し、複数の色彩から成る凸状の図形や模様が成形される。
【００１４】
（３）小さい樹脂片（樹脂生地）を樹脂部品の表面に貼り合わせ、貼り合せた樹脂生地を金型で押圧するならば、該金型に形成している凹溝に樹脂生地は嵌って成形される。この場合、貼り合わされる樹脂生地は小物部品とは異なる色彩とする場合もある。
そして、成形した凸状立体模様の周囲に薄い膜が形成され、この周囲の薄い膜を被覆する為に、凸状立体模様が嵌るように穴を貫通した別のシートを小物部品表面に貼り合わせる。すなわち、凸状立体模様だけが表面化するように貼り合せたシートにて被覆する。
【発明の効果】
【００１５】
本発明はメガネなどの小物部品、例えばツルの表面に形成される凸状の装飾模様である。勿論、凸状の装飾模様に関しては従来においても知られているが、本発明の凸状化した立体装飾模様は小物部品と一体化して成形され、従来の立体模様に比較してその装飾性は高い。
そして、表面に突出して成形される立体模様は小物部品とは異なる色彩とすることが可能であり、所定の模様形状をした樹脂片を表面に固着して形成する場合に比較して製作は容易であると共にその外観は好ましい。
【００１６】
特に、色彩を違わせた複数の樹脂シート生地を貼り合わせるならば、複数色彩から成る凸状立体模様を形成することが出来、その装飾性はさらに高くなる。
ここで、本発明が対象とする小物部品はメガネ部品に限定することなく、箸置きやカンザシなどにも適用され、装飾性の高い小物部品を簡単に安く製作することが可能である。
【図面の簡単な説明】
【００１７】
【図１】凸状立体模様をツルの外表面に形成した樹脂製メガネフレームを示す具体例。
【図２】本発明に係る凸状立体装飾模様を示す概略図。
【図３】花柄の凸状立体模様を形成したツルの具体例。
【図４】本発明の凸状立体模様を成形する工程。
【図５】ツル外表面に花柄模様を削除した場合。
【図６】本発明の凸状立体模様を成形する別方法を示す工程。
【図７】凸状立体模様を形成したツルに芯金を打ち込んだ場合。
【図８】本発明の凸状立体模様を成形する更なる別方法を示す工程。
【図９】表面に凹部を形成した従来の立体装飾模様を示す具体例。
【発明を実施するための形態】
【００１８】
図１は本発明の凸状立体装飾模様をツルに形成した樹脂製のメガネフレームを示す具体例である。同図に示すメガネフレームはフロント部１と該フロント部１の両側に取付けられているツル２，２で構成され、該ツル２，２は継手を介して折畳み出来るように連結されている。
フロント部１はレンズが嵌る両リム３，３が連結部４にて繋がれ、そしてツル２，２の外表面５には本発明の凸状立体模様６が形成されている。
【００１９】
図２（ａ）、（ｂ）は本発明の凸状立体模様６を示す概略図である。同図の２はツル、６は凸状の立体模様を表していて、該凸状立体模様６はツル外表面５から突出して形成され、ツル２の外表面５は凸状立体模様６，６・・・によって装飾される。
同図に示している凸状立体模様６は円盤体を有しているが、実際には花柄など装飾性の高い模様が採用される。
【００２０】
ところで、上記凸状立体模様６は削り出しにて製作するのではなく、「課題を解決するための手段」の（１）に記述した方法であり、ツル２の表面を金型で押圧することで成形することが出来る。
削り出しにて凸状立体模様６を造るならば、ツル２の厚さ寸法を前以て大きくしておいて外表面５を切削しなくてはならず、製作工数は大きくてコスト高と成ってしまう。
一方、ツル２と共に一体成形する場合は、ツル２と凸状立体模様６とが同時に成形される金型としなくてはならず、金型費が嵩むことになる。しかも、削り出し及びツル２と共に一体成形する場合には、凸状立体模様６だけを異なる色彩とすることが出来ない。
【００２１】
本発明では、上記凸状立体模様６をツル２の外表面５に形成するために、樹脂シート生地をツル表面に貼り合わせ、加熱したツル２を金型にて押圧（プレス）することで成形される。
図３、図４は「課題を解決するための手段」（２）の具体的な説明である。
ツル２の外表面５に花柄模様を立体的に形成した具体例であり、（ａ）は表面図、（ｂ）は裏面図を示している。樹脂製ツル２の基準線Ｏ−Ｏ側には２個の穴７，７が貫通し、この穴７，７を基準として該ツル２は位置決めされる。図３（ａ）において、黒塗り箇所が表面から突出した凸部と成っている。
【００２２】
図４（ａ）〜（ｄ）は図３の凸状立体模様を成形する具体的な工程を表している。
（ａ）はツル本体１０の表面８に樹脂シート９を貼り合せた場合で、該樹脂シート９はツル本体１０とは異なる色彩と成っている。したがって、ツル本体１０と樹脂シート９とが積層されて、ツル２は２層の樹脂層１１，１２にて構成される。勿論、複数カラーで形成する立体模様とする為に、さらに色彩を違わせた別の樹脂シートを貼り合せて３層にて構成する場合もある。
【００２３】
図４（ｂ）は貼り合わせた樹脂シート９のシート表面１３に、前記図３に表した花柄を描き、この花柄に沿って樹脂シート９で構成する樹脂層１２を切削・削除する。樹脂層１２の一部が切削にて削除され、所々に溝穴１４ａ，１４ｂ，１４ｃ・・・が形成され、この溝穴１４ａ，１４ｂ，１４ｃ・・・はツル本体１０の樹脂層１１が露出する深さと成っている。
【００２４】
図５はツル２のシート表面１３を削除して形成される花柄を表しているが、上記溝穴１４ａ，１４ｂ，１４ｃ・・・は花片１５ａ，１５ｂ，１５ｃ・・・を示している。すなわち、花片１５ａ，１５ｂ・・・の形状に削除して溝穴１４ａ，１４ｂ，１４ｃ・・・が形成される。花片１５ａ，１５ｂ・・・は図３（ａ）に示す花柄の黒塗りした箇所に相当する。
【００２５】
図４（ｃ）は金型によって上記溝穴１４ａ，１４ｂ，１４ｃ・・・に樹脂を充填すると共にシート表面１３より上方へ突出した場合である。
金型にも上記花片１５ａ，１５ｂ・・・と同じような形状の溝穴が形成されていて、この金型を加熱した樹脂シート９のシート表面１３を押圧（プレス）するならば、樹脂層１１，１２は軟化してツル本体１０の樹脂層１１は溝穴１４ａ，１４ｂ，１４ｃ・・・を流れて充填され、さらに図４（ｃ）に示すように上方へ盛り上がる。シート表面１３は金型の押圧面に当接している為に、軟化した樹脂層１１の樹脂は樹脂層１２に形成した溝穴１４ａ，１４ｂ，１４ｃ・・・を流れ、及び金型に形成した溝穴へ流れ込んで充填される。
【００２６】
この場合、金型に形成する溝穴は上記樹脂シート９の溝穴１４ａ，１４ｂ，１４ｃ・・・より一回り大きく成っていて、その為に軟化した樹脂層１２も花片１５ａ，１５ｂ，１５ｃ・・の周りに盛り上がる。
盛り上がった花片１５ａ，１５ｂ・・・は樹脂層１１によって形成されることで、その色彩はシート表面１３とは異なる。すなわち、樹脂層１１の色彩が貼り合せせた樹脂層１２と違わせるならば、異なる色彩をもって花柄模様が形成され、しかも花柄模様はシート表面１３から突出した立体模様と成っている。
【００２７】
図４（ｄ）はツル本体１０の樹脂層１１に芯金１６を打ち込んだ場合であり、樹脂製ツル２に強度を与える為に上記芯金１６が打ち込まれる。そして、芯金１６の基部にはメガネのフロント部に取付けで折畳み出来るように、蝶片１７がロウ付けされ、基準線Ｏ−Ｏから切断される。そして、前記図３に示すようにツル２の先端部は湾曲されてメガネを掛けた場合に耳に係止することが出来る。
【００２８】
上記実施例では、樹脂層１１で構成したツル本体１０の表面８に樹脂シート９を貼り合わせて２層構造としているが、３層構造とすることも出来る。
２層構造とした上記実施例では、形成される花柄模様の花片１５ａ，１５ｂ，１５ｃ・・・は貼り合わせた樹脂シート９とは異なる色彩の樹脂層１１を押圧して花片１５ａ，１５ｂ，１５ｃ・・・は形成されている。すなわち、花柄模様は単一色で構成している。
【００２９】
ところで、図３では３個の花柄模様１８ａ，１８ｂ，１８ｃを形成しているが、全て同一色彩と成っている。そこで、これら花柄模様１８ａ，１８ｂは同一色彩とし、中央の小さい花柄模様を異なる色彩にて形成することも可能である。
この場合にはツル本体１０にそれぞれ色彩を違わせた２枚の樹脂シート（樹脂生地）を貼り合わせて３層構造とする。
【００３０】
そして、花柄模様１８ａ，１８ｂを構成する花片となる溝穴は一方の樹脂シート面に達する深さとし、花柄模様１８ｃを構成する花片と成る溝穴は他方の樹脂シート面に達する深さとする。
そこで、金型によって加熱したツル２を押圧するならば、それぞれ、色彩の異なる樹脂シートから押圧されて溝穴に流れて充填されると共に上方へ突出することが出来る。
【００３１】
「課題を解決するための手段」（１）に記述した方法では、凸状立体模様の色彩をツル２とは違わせて成形することは出来ない。
勿論、ツル表面に形成される凸状の立体模様は、その色彩如何に関わらず装飾効果は大きいが、異なる色彩にて凸状立体模様が形成されるならば、より一層大きな装飾効果を具現できる。
【００３２】
図６は本発明のさらに別な方法であり、「課題を解決するための手段」の（３）に記述した具体的な方法を説明する。
図６（ａ）はツル２の外表面５に樹脂生地１９ａ，１９ｂ，１９ｃを貼り付けている場合で、正面図と平面図である。樹脂生地１９ａは四角形、樹脂生地１９ｂは六角形、樹脂生地１９ｃは円形とし、しかもこれら各樹脂生地１９ａ，１９ｂ，１９ｃの色彩は互いに違っている。例えば、四角形の樹脂生地１９ａは赤色、六角形の樹脂生地１９ｂは緑色、円形の樹脂生地１９ｃは黄色と成っている。
【００３３】
図６（ｂ）は貼り付けた上記樹脂生地１９ａ，１９ｂ，１９ｃを金型で押圧（プレス）した場合で、正面図と平面図を表している。金型にて押圧する際、樹脂生地１９ａ，１９ｂ，１９ｃを貼り付けたツル２は加熱され、２個の穴７，７にピンが嵌って所定の位置に固定される。
ツル２の外表面５に形成される凸状立体模様は、前記図３の場合と同じように花柄模様であるが、外表面５に貼り付けた樹脂生地１９ａは四角形であり、樹脂生地１９ｂは六角形であり、また樹脂生地１９ｃは円形である為に、金型で押圧しても全体が花柄模様にはならない。
【００３４】
金型の押圧面には花柄模様を形成した凹溝が形成されている為に、押圧された樹脂生地１９ａ，１９ｂ，１９ｃの一部は盛り上がって凸状の花柄模様２１ａ，２１ｂ，２１ｃとなる。そして、他の一部は潰された薄い膜２０ａ、２０ｂ、２０ｃとなり、花柄模様の周囲に形成される。潰されて伸びた薄い膜は、図６（ａ）に示す樹脂生地１９ａ，１９ｂ，１９ｃより一回り大きな四角形、六角形、円形となる。すなわち、樹脂生地１９ａ，１９ｂ，１９ｃは金型で押圧されることで、潰された薄い膜２０ａ，２０ｂ，２０ｃと凸状に盛り上がった花柄模様２１ａ，２１ｂ，２１ｃとなる。
【００３５】
ツル２の外表面５に形成される凸状の花柄模様２１ａ，２１ｂ，２１ｃの他に薄い膜２０ａ，２０ｂ，２０ｃが存在することで、装飾効果は損なわれる。そこで、本発明では上記薄い膜２０ａ，２０ｂ，２０ｃが露出しないようにシート２２を貼り合せる。
図６（ｃ）は該シート２２を表した具体例であり、ツル２の外表面５を被覆することが出来るように同じサイズと成っていて、そして花柄穴２３ａ，２３ｂ，２３ｃを形成している。この花柄穴２３ａ，２３ｂ，２３ｃは上記凸状の花柄模様２１ａ，２１ｂ，２１ｃと同じ形状としている。
【００３６】
図６（ｄ）は上記シート２２をツル２の外表面５に貼り合せた場合であり、花柄穴２３ａ，２３ｂ，２３ｃには凸状の花柄模様２１ａ，２１ｂ，２１ｃが嵌合してシート２２から突出し、薄い膜２０ａ，２０ｂ，２０ｃは被覆される。
そして、図７に示すように、凸状の花柄模様２１ａ，２１ｂ，２１ｃが形成されたツル２に芯金１６が打ち込まれる。
【００３７】
図８は前記図７に示す実施例の別形態を表している。同図の２はツル、２４は金属部品、２５は凹溝で、該凹溝２５はツル２の外表面５に設けている。そして、２６ａ，２６ｂは樹脂部品でツル２の外表面２５に配置されている。この樹脂部品２６ａ，２６ｂは前記図６にて説明した樹脂生地１９ａ，１９ｂ，１９ｃと同じように、ツル２と共に成形することで樹脂部品２６ａ，２６ｂの周囲に広がる薄い膜を設けることも出来る。
上記金属部品２４は底にツバ２７を形成し、ツバ２７は凹溝２５に嵌合することが出来る。ここで、ツバ２７を有す金属部品２４は別途製作し、この金属部品２４は図８（ｂ）に示すように凹溝２５に嵌って取付けられる。
【００３８】
このようにツル２の外表面５に配置した金属部品２４、樹脂部品２６，２６ｂが嵌る穴を形成したシート２８をツル２の外表面５に貼り付けて被覆する。図８（ｄ）はシート２８を貼り付けた状態の断面を表している。ところで、上記金属部品２４の形状、及び樹脂部品２６ａ，２６ｂの形状はツル２を装飾するふさわしいものとされる。
【符号の説明】
【００３９】
１   フロント部
２   ツル
３   リム
４   連結部
５   外表面
６   凸状立体模様
７   穴
８   表面
９   樹脂シート
10   ツル本体
11   樹脂層
12   樹脂層
13   シート表面
14   溝穴
15   花片
16   芯金
17   蝶片
18   花柄模様
19   樹脂製生地
20   薄い膜
21   花柄模様
22   シート
23   花柄穴
24   金属部品
25   凹溝
26   樹脂部品
27   ツバ
28   シート
【図１】
2019164254.tif 000003
【図２】
2019164254.tif 000004
【図３】
2019164254.tif 000005
【図４】
2019164254.tif 000006
【図５】
2019164254.tif 000007
【図６】
2019164254.tif 000008
【図７】
2019164254.tif 000009
【図８】
2019164254.tif 000010
【図９】
2019164254.tif 000011